(57)【要約】【課題】海水の浸入を更に強固に防御することを実現した発電設備を提供する。【解決手段】発電用の各種の設備と、当該各種の設備が設置された領域を囲むように配置した貯水フェンス１０とを備えた発電設備１であって、貯水フェンス１０は、複数の筒状のコンクリート製のボックスカルバート２０と、隣り合うボックスカルバート２０を連結する連結部材３０と、連結された複数のボックスカルバート２０の内部に形成された内部空間１４に水を供給する給水口とを備える。【選択図】図３
2013199775.tif 000002
【特許請求の範囲】
【請求項１】
発電用の各種の設備と、
当該各種の設備が設置された領域を囲むように配置したフェンスとを備えた発電設備であって、
前記フェンスは、複数の筒状のコンクリート製構造物と、隣り合う前記コンクリート製構造物を連結する連結部材と、連結された複数の筒状のコンクリート製構造物の内部に形成された内部空間に水を供給する供給部とを備えることを特徴とする発電設備。
【請求項２】
前記連結部材は、隣り合う前記コンクリート製構造物における一方の前記コンクリート製構造物の開口縁部に嵌合する凹状の第１嵌合部と、当該第１嵌合部の反対側に形成されかつ他方の前記コンクリート製構造物の開口縁部に嵌合する凹状の第２嵌合部とを有し、隣り合う前記コンクリート製構造物の開口縁部を対向させた状態で保持することを特徴とする請求項１記載の発電設備。
【請求項３】
前記連結部材は、地面に対向する底面の両端部から地面に沿うように側方に延出し、杭状の固定金具を地面に打ち込むことによって地面に固定される延出部を備えたことを特徴とする請求項２記載の発電設備。
【請求項４】
前記内部空間は、発電所で使用する水の流路の一部を形成することを特徴とする請求項１乃至３のいずれか１項記載の発電設備。
【発明の詳細な説明】
【技術分野】
【０００１】
本発明は、発電設備に関する。
【背景技術】
【０００２】
従来、原子力発電所の設備は、タービン駆動用の蒸気の復水や原子炉の冷却に使用する水を確保するため、海岸付近に建てられている。また、原子力発電所においては、例えば、特許文献１に記載されているように、原子力発電所が臨む海岸に防波堤を設け、波によって取水設備付近に土砂が運ばれないようにしている。
【０００３】
このように、多少、高い波が押し寄せても防波堤によって消波されるために、通常、海水が原子力発電所の設備まで到達することはない。
【先行技術文献】
【特許文献】
【０００４】
【特許文献１】特開平９−１２５３３７号公報
【発明の概要】
【発明が解決しようとする課題】
【０００５】
しかし、津波のような自然災害が発生した場合には、海水が原子力発電所の設備に浸入する可能性が否定できない。そこで、原子力発電所における発電設備の安全性を更に向上させ、津波の発生により、防波堤を越えた海水の浸入を更に強固に防御することを実現した発電設備の出現が望まれる。
【０００６】
本発明は、海水の浸入を更に強固に防御することを実現した発電設備を提供することを目的とする。
【課題を解決するための手段】
【０００７】
前記目的を達成するため、本発明は、次に記載する構成を備えている。
【０００８】
（１）  発電用の各種の設備と、当該各種の設備が設置された領域を囲むように配置したフェンスとを備えた発電設備であって、前記フェンスは、複数の筒状のコンクリート製構造物と、隣り合う前記コンクリート製構造物を連結する連結部材と、連結された複数の筒状のコンクリート製構造物の内部に形成された内部空間に水を供給する供給部とを備えることを特徴とする発電設備。
【０００９】
（１）によれば、フェンスが複数の筒状のコンクリート製構造物を連結した構造であり、強固でかつ重量を有するため、津波のような外圧が加わっても安定した状態を維持することが可能になる。しかも、内部空間に貯水することにより、コンクリート製構造物の重量が更に大きくなり、更に安定した状態を維持することが可能になる。このため、例えば、津波による波がフェンスに押し寄せたとしても、フェンスが安定した状態で維持されることにより、フェンスを越えて浸入する海水が低減される。
【００１０】
（２）  （１）において、前記連結部材は、隣り合う前記コンクリート製構造物における一方の前記コンクリート製構造物の開口縁部に嵌合する凹状の第１嵌合部と、当該第１嵌合部の反対側に形成されかつ他方の前記コンクリート製構造物の開口縁部に嵌合する凹状の第２嵌合部とを有し、隣り合う前記コンクリート製構造物の開口縁部を対向させた状態で保持することを特徴とする発電設備。
【００１１】
（２）によれば、隣り合うコンクリート製構造物において一方のコンクリート製構造物に開口縁部に第１嵌合部を嵌合させて連結部材を取り付ける。次に、一方のコンクリート製構造物に取り付けた連結部材の第２嵌合部に、他方のコンクリート製構造物に開口縁部を嵌合させることにより、コンクリート製構造物が連結される。このように、少ない作業工程でコンクリート製構造物の連結作業を行うことが可能になる。
【００１２】
（３）  （２）において、前記連結部材は、地面に対向する底面の両端部から地面に沿うように側方に延出し、杭状の固定金具を地面に打ち込むことによって地面に固定される延出部を備えたことを特徴とする発電設備。
【００１３】
（３）によれば、固定金具を打ち込むことによって延出部を地面に固定することにより、個々のコンクリート製構造物を地面に強固に固定することが可能になり、フェンス全体の強度及び安定性を高めることが可能になる。
【００１４】
（４）  （１）〜（３）において、前記内部空間は、発電所で使用する水の流路の一部を形成することを特徴とする発電設備
【００１５】
（４）によれば、コンクリート製構造物内の水を発電所において積極的に利用することが可能になる。
【発明の効果】
【００１６】
本発明によれば、フェンスが複数の筒状のコンクリート製構造物を連結した構造であるため、強固でかつ重量を有するため、津波のような外圧が加わっても安定した状態を維持することが可能になる。しかも、内部空間に貯水することにより、コンクリート製構造物の重量が更に大きくなり、更に安定した状態を維持することが可能になる。
【図面の簡単な説明】
【００１７】
【図１】本発明の一実施形態における発電設備の配置の一例を示す説明図である。
【図２】貯水フェンス１０の要部構成を示す斜視図である。
【図３】複数のボックスカルバート２０を連結した例を示す斜視図である。
【図４】連結部材３０の正面図である。
【図５】図４のＡＡ線断面図である。
【図６】貯水フェンス１０への給水系を示す説明図である。
【図７】貯水フェンス１０内の水の利用例を示す説明図である。
【発明を実施するための形態】
【００１８】
以下、本発明の実施形態について、図面を参照しながら詳細に説明する。
【００１９】
図１は、本発明の一実施形態における発電設備の配置の一例を示す説明図であり、発電設備１は、貯水フェンス１０と、原子炉建屋７０と、タービン建屋７２と、取水建屋７４と、非常用電源設備７６等を備えている。発電設備１は、海岸沿いの敷地内に建てられている。更に、貯水フェンス１０は、原子炉建屋７０、タービン建屋７２、取水建屋７４が立てられている領域を囲むように配置されている。
【００２０】
貯水フェンス１０は、コンクリート製であり、仮に、海岸の波が防波堤１１０を越えて陸上に浸入した場合に、原子力発電所施設に海水が浸入しないようにブロックするためのものである。
【００２１】
原子炉建屋７０内には、原子炉が配置されている。タービン建屋７２内には、原子炉建屋７０の設備によって生成された蒸気によって回転するタービンが配置されている。取水建屋７４内には、原子炉の冷却やタービンの回転に使用した蒸気の復水等のために、海水を汲み上げて原子炉建屋７０やタービン建屋７２に供給するための、ポンプ等の設備が配置されている。非常用電源設備７６は、非常用に用いる電源設備であり、津波の被害を受けない場所、例えば高台等に設置されている。
【００２２】
図２は、貯水フェンス１０の要部構成を示す斜視図である。貯水フェンス１０は、コンクリート製構造物に相当するボックスカルバート２０と、連結部材３０と、杭５０とを備えている。
【００２３】
ボックスカルバート２０は、中央に開口部２２が形成されたコンクリート製の四角筒部材であり、約４ｍの高さを有している。
【００２４】
連結部材３０は、ボックスカルバート２０同士を連結する鋼鉄製の四角筒状の部材である。また、連結部材３０は、地面に対向する底面の両端部から地面に沿うように側方に延出する平板状の延出部３２を有している。延出部３２の中央部には貫通孔（図示せず）が形成されている。
【００２５】
杭５０は、鋼鉄製の長尺部材であり、延出部３２の貫通孔の挿入しながら地面に打ち込むことにより、連結部材３０を地面に固定するものである。
【００２６】
図３は複数のボックスカルバート２０を連結した例を示す斜視図である。貯水フェンス１０は、複数のボックスカルバート２０からなり、ボックスカルバート２０を連結部材３０によって一つずつ連結することによって構成される。この時、ボックスカルバート２０の開口部１２も互いに連結することにより、貯水フェンス１０の内部に大きな内部空間１４が形成される。詳細については後述するが、本実施形態においては、貯水フェンス１０の内部空間１４を貯水槽として用いる。
【００２７】
図４は連結部材３０の正面図、図５は図４のＡＡ線断面図である。連結部材３０は、延出部３２と、環状板部３４と、外側側壁部３６と、内側側壁部３８とによって構成されている。
【００２８】
図４に示すように、環状板部３４は、ボックスカルバート２０（図１参照）を正面視した形状に略一致した形状の環状の平板である。外側側壁部３６は、環状板部３４の外周に設けられた略四角筒の部材である。内側側壁部３８は、環状板部３４の内周に設けられた略四角筒の部材である。すなわち、外側側壁部３６と内側側壁部３８とは互いに平行であって二重スリーブを形成している。なお、連結部材３０を背面視した場合も図４と同じである。
【００２９】
また、図５に示すように、環状板部３４は、外側側壁部３６と内側側壁部３８の中央に配置されている。このため、環状板部３４の一方の平面側には、凹状の第１嵌合部４０が形成され、第１嵌合部４０の反対側である環状板部３４の他方の平面側には、凹状の第２嵌合部４２が形成される。第１嵌合部４０と第２嵌合部４２とは同型であるが、開口部は互いに反対方向を向いている。
【００３０】
第１嵌合部４０は、隣り合うボックスカルバート２０における一方のボックスカルバート２０の開口縁部に嵌合する。第２嵌合部４２は、隣り合うボックスカルバート２０における他方のボックスカルバート２０の開口縁部に嵌合する。
【００３１】
ボックスカルバート２０の連結作業においては、まず、隣り合うボックスカルバート２０において一方のボックスカルバート２０に開口縁部に第１嵌合部４０を嵌合させて連結部材３０を取り付ける。次に、一方のボックスカルバート２０に取り付けた連結部材３０の第２嵌合部４２に、他方のボックスカルバート２０に開口縁部を嵌合させることにより、ボックスカルバート２０が連結される。このように、二重スリーブ状の連結部材３０を用いてボックスカルバート２０を連結することにより、二本のボックスカルバート２０の連結部分の水密性を向上させることが可能になる。
【００３２】
そして、更に多くのボックスカルバート２０を連結することにより、図３に示すように、貯水フェンス１０が構成される。
【００３３】
なお、貯水フェンス１０の形状は、例えば、複数のボックスカルバート２０によって環状に形成しても、ライン状に形成してもよく、貯水フェンス１０以外の発電設備の配置に応じて適宜設計可能である。ただし、貯水フェンス１０をライン状に形成する場合には、貯水フェンス１０の内部空間１４を貯水槽として用いるため、貯水フェンス１０における両端部のボックスカルバート２０の開口部１２を閉鎖するために、蓋体（図示せず）を設置して水密状態にする必要がある。
【００３４】
図６は、貯水フェンス１０への給水系を示す説明図である。貯水フェンス１０は、供給部に相当する給水口２４と、取水口２６とを備えている。給水口２４は、給水管を介して水源８０に連結する。そして水源８０から淡水が給水口２４から貯水フェンス１０内に供給される。取水口２６からは、貯水フェンス１０内に貯えた淡水が外部に送り出される。本実施形態においては、貯水フェンス１０が、一つの給水口２４と、複数の取水口２６とを備えているが、それに限るものではなく、給水口２４及び取水口２６の数は適宜設定可能である。また、給水口２４を取水口２６として、取水口２６を給水口２４として使用することも可能である。
【００３５】
また、本実施形態においては、取水口２６が、原子炉建屋７０やタービン建屋７２に取水管を介して連結されており、非常用の冷却水として貯水フェンス１０内の淡水を使用可能にしている。
【００３６】
また、水源８０としては、水道が適用可能である。また、発電所の近くに河川がある場合や、山からの渓流水が流れている場合には、その水を貯水フェンス１０に引いてもよい。
【００３７】
特に、河川の水や、山からの渓流水を用いる場合には、図７に示すように、ろ過装置９０を通して水を清浄化してから貯水フェンス１０内に貯水し、更に、貯水フェンス１０内の水を必要に応じた浄化処理を行い発電所の各種の施設に利用する。例えば、水洗トイレの水、洗濯用の水、施設内のシャワー用の水として利用してもよい。そして、発電所の各種の施設で利用した水は、例えば、下水に排出する。このように、貯水フェンス１０が、発電所で使用する水の流路の一部を形成することにより、貯水フェンス１０内の水をきれいな状態で維持することが可能になる。しかも、貯水フェンス１０内の水を積極的に利用することが可能になる。
【００３８】
以上説明したように構成された本発明の実施形態によれば、次に記載する作用効果を奏する。
【００３９】
本実施形態によれば、貯水フェンス１０が、コンクリート製の複数のボックスカルバート２０を連結した構造であり、強固でかつ重量を有するため、津波のような外圧が加わっても安定した状態を維持することが可能になる。しかも、ボックスカルバート２０の内部空間に貯水することにより、ボックスカルバート２０の重量が更に大きくなり、貯水フェンス１０は、更に安定した状態を維持することが可能になる。このため、例えば、津波による波が貯水フェンス１０に押し寄せたとしても、貯水フェンス１０が安定した状態で維持することにより、海水がボックスカルバート２０を越えて浸入する海水が低減される。
【００４０】
また本実施形態によれば、隣り合うボックスカルバート２０において一方のボックスカルバート２０に開口縁部に第１嵌合部４０を嵌合させて連結部材３０を取り付ける。次に、一方のボックスカルバート２０に取り付けた連結部材３０の第２嵌合部４２に、他方のボックスカルバート２０に開口縁部を嵌合させることにより、ボックスカルバート２０が連結される。このように、少ない作業工程でボックスカルバート２０の連結作業を行うことが可能になる。
【００４１】
また本実施形態によれば、杭５０を打ち込むことによって延出部３２を地面に固定することにより、ボックスカルバート２０を地面に強固に固定することが可能になる。
【００４２】
また本実施形態によれば、ボックスカルバート２０の内部空間が、発電所で使用する水の流路の一部を形成しているため、ボックスカルバート２０内の水を発電所において積極的に利用することが可能になる。
【符号の説明】
【００４３】
１  発電設備
１０  貯水フェンス
１２  開口部
１４  内部空間
２０  ボックスカルバート
２２  開口部
２４  給水口
２６  取水口
３０  連結部材
３２  延出部
３４  環状板部
３６  外側側壁部
３８  内側側壁部
４０  第１嵌合部
４２  第２嵌合部
５０  杭
７０  原子炉建屋
７２  タービン建屋
８０  水源
９０  ろ過装置
【図１】
2013199775.tif 000003
【図２】
2013199775.tif 000004
【図３】
2013199775.tif 000005
【図４】
2013199775.tif 000006
【図５】
2013199775.tif 000007
【図６】
2013199775.tif 000008
【図７】
2013199775.tif 000009